(57)【特許請求の範囲】
【請求項１】
照明システム内の点灯装置の作動のための照明作動装置であって、
検出ユニットであって、制御ユニットからの表示コマンドに対応する前記点灯装置からの表示に応答し、表示検出信号を生成する検出器と、該検出ユニットの位置を検出する位置検出器とを含む検出ユニット、および
前記表示検出信号及び前記位置の検出結果に基づいて前記表示コマンドに対応する前記点灯装置の位置を決定するために、前記検出ユニットと通信し、前記表示検出信号を受信する、前記照明システムに動作可能に接続される制御ユニットを有する照明作動装置。
【請求項２】
前記点灯装置の位置を表示するマッピングインタフェースを更に有する請求項１に記載の装置。
【請求項３】
前記位置検出器が検出した位置を用いて、照明作動が行われているエリアのマップ上に前記検出ユニットの位置を記録する手段を更に有する請求項１または２に記載の装置。
【請求項４】
前記位置検出器は、ＧＰＳ、三角測量、飛行時間のいずれかを利用したものである請求項１から３いずれか１項に記載の装置。
【請求項５】
前記表示が、光、赤外光、音、超音波及び無線周波数信号から成るグループから選択される請求項１から４いずれか１項に記載の装置。
【請求項６】
前記制御ユニットが、前記照明システム内の複数の点灯装置に表示コマンドを送信するよう前記照明システムに命令するよう動作可能である請求項１から５いずれか１項に記載の装置。
【請求項７】
前記複数の点灯装置の識別番号のリストを決定する手段と、
前記識別番号のリスト上の各識別番号に対する表示コマンドを順次送信する手段と、
前記表示検出信号を生成する検出器が第１点灯装置の表示を検出する場合、前記第１点灯装置の位置を記録する手段とを更に有する請求項６記載の装置。
【請求項８】
前記表示検出信号を生成する検出器が、狭角検出器、広角検出器および可変角検出器のうちの少なくとも１つを含む請求項１から７いずれか１項に記載の装置。
【請求項９】
前記表示検出信号を生成する検出器を前記点灯装置の方へ向ける照準器を更に有する請求項１から８いずれか１項に記載の装置。
【請求項１０】
前記点灯装置から前記表示が受け取られる場合に表示するために、前記表示検出信号に応答するツールインジケータを更に有する請求項１から９いずれか１項に記載の装置。
【請求項１１】
前記照明作動装置および／または前記検出ユニットが、照明作動装置識別番号を持ち、前記表示検出信号が、前記照明作動装置識別番号を含む請求項１から１０いずれか１項に記載の装置。
【請求項１２】
前記照明作動装置の位置を決定する位置検出器を更に有する請求項１から１１いずれか１項に記載の装置。
【発明の詳細な説明】
【技術分野】
【０００１】
本発明は、広くは、照明システムに関し、より詳細には、照明システムを作動させる(commission)装置及び方法に関する。
【背景技術】
【０００２】
蛍光灯などのランプに対する電流を制御するために電子安定器が開発されている。組み込まれた又は接続された有線又は無線通信インタフェースを持つ電子安定器は、遠隔制御装置、壁部の調光器、在室センサ(occupancy sensor)及び光センサなどの制御装置と通信して、特定のアクティビティ、時刻及び用途のために照明を設定する。電子安定器は、融通の利く、エネルギ効率の優れた照明を供給する。
【０００３】
或る特定の問題は、安定器及び制御装置などの多数の点灯装置(lighting device)を含む照明システムを作動させることである。作動(commissioning)は、所望の装置制御パラメータの下で、適切な制御装置と通信するよう、新しく取り付けられた点灯設備(light fixture)をセットアップすることを含む。モデムオフィス及び商業ビルは、１つ以上の制御装置と通信しなければならない何百もの点灯設備を含む。現在、点灯設備は、１つずつ作動させられる。照明システム内の通信が確立されたら、設置者は、識別（ＩＤ）番号によって、取り付けられている点灯設備のうちの１つに対して、コマンド、例えば、発光させるコマンドを発する。ＩＤ番号は、製造中に点灯設備に割り当てられるＩＤ番号のリストから選択される。設置者は、コマンドに応答した点灯設備、例えば、発光させている点灯設備を探して、フロア又はビルを歩き回る。次いで、設置者は、マップ上に、点灯設備の位置及びＩＤ番号を記録する。この時間のかかるプロセスは、取り付けられている全ての点灯設備が記録された位置及びＩＤ番号を持つまで、各点灯設備のために繰り返される。
【０００４】
作動は、点灯設備と制御装置のリンク及び制御パラメータの確立を継続する。各点灯設備は、１つ以上の制御装置にリンクされる。制御パラメータは、照明グループの割り当て、遠隔制御装置の番号、減光レベル、減光率、照明シーンなどを含み得る。設置者は、各点灯設備のための制御パラメータ及びリンクを個々に記憶する。これは、大量の時間、労力及び費用を必要とする。
【発明の開示】
【発明が解決しようとする課題】
【０００５】
上記の不利な点を解消する照明作動システム及び方法を持つことは望ましいであろう。
【課題を解決するための手段】
【０００６】
本発明の或る態様は、照明システム内の点灯装置の作動のための照明作動装置であって、前記点灯装置からの表示に応答し、点灯装置表示信号を生成する表示検出器と、前記点灯装置表示信号に応答し、表示検出信号を生成する変化検出器と、前記表示検出信号を受信し、前記照明システムに動作可能に接続される制御ユニットとを含む照明作動装置を供給する。
【０００７】
本発明の別の態様は、照明作動方法であって、第１識別番号を持つ第１点灯装置と、第２識別番号を持つ第２点灯装置との間の通信を確立するステップと、前記第１識別番号から前記第１点灯装置の位置を決定するステップと、前記第１点灯装置において前記第１点灯装置のための装置制御パラメータを記憶するステップと、前記第２識別番号から前記第２点灯装置の位置を決定するステップと、前記第１点灯装置から前記第２点灯装置へ前記装置制御パラメータを送信するステップと、前記第２点灯装置において前記装置制御パラメータを記憶するステップとを含む照明作動方法を供給する。
【０００８】
本発明の別の態様は、照明作動システムであって、第１識別番号を持つ第１点灯装置と、第２識別番号を持つ第２点灯装置との間の通信を確立する手段と、前記第１識別番号から前記第１点灯装置の位置を決定する手段と、前記第１点灯装置において前記第１点灯装置のための装置制御パラメータを記憶する手段と、前記第２識別番号から前記第２点灯装置の位置を決定する手段と、前記第１点灯装置から前記第２点灯装置へ前記装置制御パラメータを送信する手段と、前記第２点灯装置において前記装置制御パラメータを記憶する手段とを含む照明作動システムを供給する。
【０００９】
本発明の別の態様は、照明作動方法であって、第１識別番号を持つ第１点灯装置を含む複数の点灯装置の間の通信を確立するステップと、前記複数の点灯装置の識別番号のリストを決定するステップと、表示検出器を前記第１点灯装置の方へ向けるステップと、前記識別番号のリスト上の各識別番号に対する表示コマンド(indicator command)を順次送信するステップと、前記表示検出器が前記第１点灯装置の表示を検出する場合に前記第１点灯装置の位置を記録する(note)ステップとを含む照明作動方法を供給する。
【００１０】
本発明の別の態様は、照明作動システムであって、第１識別番号を持つ第１点灯装置を含む複数の点灯装置の間の通信を確立する手段と、前記複数の点灯装置の識別番号のリストを決定する手段と、表示検出器を前記第１点灯装置の方へ向ける手段と、前記識別番号のリスト上の各識別番号に対する表示コマンドを順次送信する手段と、前記表示検出器が前記第１点灯装置の表示を検出する場合に前記第１点灯装置の位置を記録する手段とを含む照明作動システムを供給する。
【００１１】
本発明の別の態様は、照明作動方法であって、第１識別番号を持つ第１点灯装置を含む複数の点灯装置の間の通信を確立するステップと、前記複数の点灯装置の識別番号のリストを決定するステップと、複数の照明作動装置を所望の位置に分散させるステップと、前記識別番号のリスト上の各識別番号に対する表示コマンドを順次送信するステップと、前記複数の照明作動装置のうちの少なくとも１つで前記第１点灯装置の表示を検出するステップと、前記複数の照明作動装置のうちの前記少なくとも１つの位置から前記第１点灯装置の位置を決定するために、前記第１点灯装置の前記表示を、前記第１点灯装置に対する前記表示コマンドの送信と相関させるステップとを含む照明作動方法を供給する。
【００１２】
本発明の別の態様は、照明作動システムであって、第１識別番号を持つ第１点灯装置を含む複数の点灯装置の間の通信を確立する手段と、前記複数の点灯装置の識別番号のリストを決定する手段と、複数の照明作動装置を所望の位置に分散させる手段と、前記識別番号のリスト上の各識別番号に対する表示コマンドを順次送信する手段と、前記複数の照明作動装置のうちの少なくとも１つで前記第１点灯装置の表示を検出する手段と、前記複数の照明作動装置のうちの前記少なくとも１つの位置から前記第１点灯装置の位置を決定するために、前記第１点灯装置の前記表示を、前記第１点灯装置に対する前記表示コマンドの送信と相関させる手段とを含む照明作動システムを供給する。
【００１３】
本発明の上記及び他の特徴及び利点は、添付図面と共に読まれる、以下の現在好ましい実施例の詳細な説明から更に明らかになるであろう。詳細な説明及び図面は、単に、本発明を説明するものであって、本発明を限定するものではなく、本発明の範囲は、添付した請求項及びそれらの同等物によって規定される。
【発明を実施するための最良の形態】
【００１４】
図１は、本発明による照明作動のための照明システムのブロック図である。照明システム２０は、ネットワークにおいて互いと通信する点灯装置を含む任意の照明システムであり得る。点灯装置は、点灯設備２２と、局所遠隔制御装置、壁スイッチ、並びに他のネットワーク及び／又は自動化システムに対するゲートウェイを含む遠隔制御装置２４と、照明センサ又は在室センサなどのエリアセンサ２６とを含み得る。点灯装置は、通信路２８で通信する。単一の点灯装置は、通信路２８を介して１つ以上の点灯装置に接続され得る。この例においては、点灯装置は、第１グループ３０と、第２グループ３２とに分けられている。このようなグループは、ビル内の異なる部屋、部屋内の異なるエリア、及び／又は屋外照明の異なる領域に対応し得る。照明作動装置４０は、照明システム２０を作動させる場合に照明システム２０に対する通信ゲートウェイとして用いられ得る。或る実施例においては、照明作動装置４０は、ラップトップコンピュータ、ハンドヘルドＰＤＡ(personal digital assistant)、ポケットパーソナルコンピュータ（ＰＣ）、携帯型専用照明作動装置などといった携帯機器である。携帯型専用照明作動装置の例は、ポインティング(pointing)照明作動装置及び分散可能な(distributable)照明作動装置を含む。別の実施例においては、照明作動装置４０は、ビル内の照明システムを制御するのに通常用いられる照明システム制御装置のような照明システム２０の一部である。照明作動装置４０は、有線又は無線作動通信路３８で照明システム２０と通信する。
【００１５】
通信路２８は、有線又は無線であり、望ましいような特定の通信プロトコルを用いることが出来る。或る実施例においては、通信プロトコルは、蛍光灯安定器規格のIEC 60929のAnnex Eにおいて詳述されているＤＡＬＩ(Digital Addressable Lighting Interface)プロトコルである。別の実施例においては、通信プロトコルは、IEEE 802.15.4無線規格の上層において動作するZigBeeプロトコルである。更に別の実施例のおいては、通信プロトコルは、EmberNetプロトコルである。照明システム２０の制御には、任意の数の、有線及び無線の、オープンなものと、独自のものとの両方のプロトコルが用いられ得ることは当業者には分かるであろう。照明システム２０の接続形態は、シリアルネットワーク、メッシュネットワーク、スターネットワーク、クラスタツリーネットワーク、ハイブリッドネットワークなどといった所望の任意の接続形態であり得る。
【００１６】
図２は、本発明による照明作動のための点灯装置のブロック図である。点灯装置５０は、通信インタフェース５２、マイクロプロセッサ５４、メモリ５６、制御インタフェース５８及び装置インジケータ６０を含む。或る実施例においては、メモリ５６は、マイクロプロセッサ５４に含まれる。無線周波数送受信機などの有線又は無線通信インタフェース５２は、他の点灯装置と通信するために通信路２８に動作可能に接続される。マイクロプロセッサ５４は、他の点灯装置からの信号及びメモリ５６内に記憶された命令に応じて点灯装置５０を制御する。メモリ５６は、固定及びネットワーク識別番号並びに装置制御パラメータを含む点灯装置５０のための命令及びデータを記憶し得る。メモリ５６は、ネットワーク装置５０が、その装置制御パラメータを他の点灯装置に転送することを可能にするクローニングプログラムも記憶し得る。制御インタフェース５８は、マイクロプロセッサ５４及び装置インジケータ６０と通信する。
【００１７】
装置インジケータ６０は、ランプの電源のオン／オフ又は増光／減光のコマンドなどの表示コマンドを点灯装置５０が受信したことを示す、設置者が識別可能な表示を供給する。設置者は、応答を検出する照明作動装置を用いて、且つ／又は設置者の感覚（視覚、音）を用いて、表示コマンドに対する点灯装置５０の応答を検出することが出来る。装置インジケータ６０は、一般的には、ランプ又は液晶ディスプレイ（ＬＣＤ）などの点灯装置５０の標準的な部品であるが、作動発光ダイオード（ＬＥＤ）又は作動ノイズメーカ、作動無線周波数送信機などといった作動のためだけの専用部品であり得る。或る実施例においては、点灯装置５０は、点灯設備であり、制御インタフェース５８は、電子安定器などの安定器であり、装置インジケータ６０は、蛍光灯などの安定器駆動ランプである。別の実施例においては、点灯装置５０は、点灯設備であり、制御インタフェース５８は、調光器及び／又はスイッチなどの照明制御装置であり、装置インジケータ６０は、可視又は赤外線周波数の発光ダイオード（ＬＥＤ）ランプ又は白熱灯などの直接駆動ランプである。別の実施例においては、点灯装置５０は、遠隔制御装置であり、制御インタフェース５８は、信号インタフェースであり、装置インジケータ６０は、ディスプレイ又は液晶ディスプレイ（ＬＣＤ）を備えるキーボードなどのヒューマン・インタフェースである。別の実施例においては、点灯装置５０は、エリアセンサであり、制御インタフェース５８は、信号インタフェースであり、装置インジケータ６０は、光センサ、在室センサなどといった検出素子である。
【００１８】
図３は、本発明による照明作動のための方法のフローチャートである。前記方法は、各々が識別番号を持つ点灯装置の間の通信を確立するステップ１００と、第１点灯装置の位置をその点灯装置の識別番号から決定するステップ１０２と、第１点灯装置において第１点灯装置のための装置制御パラメータを記憶するステップ１０４と、第２点灯装置の識別番号から第２点灯装置の位置を決定するステップ１０６と、第１点灯装置から第２点灯装置へ装置制御パラメータを送信するステップ１０８と、第２点灯装置において装置制御パラメータを記憶するステップ１１０とを含む。或る実施例においては、前記方法は、付加的な点灯装置のために、第１点灯装置から多数の点灯装置への装置制御パラメータの送信、及び点灯装置における装置制御パラメータの記憶を継続することが出来る。別の実施例においては、前記方法は、付加的な点灯装置のために、第２点灯装置から１つ以上の点灯装置への装置制御パラメータの送信を継続することが出来る。或る実施例においては、各点灯装置が、２つ以上の他の点灯装置に装置制御パラメータを供給することで、装置制御パラメータは、幾何学的に、照明システム内の点灯装置をまたがって伝搬することが出来る。
【００１９】
各々が識別番号を持つ点灯装置の間の通信を確立するステップ１００は、特定の照明システムに適した任意の方法で行われ得る。点灯装置は、点灯設備、遠隔制御装置、エリアセンサなどであり得る。或る実施例においては、点灯装置は、或るプロトコルに基づく点灯装置間のハンドシェイクによって、自動的に通信を確立する。別の実施例においては、照明システム内の点灯装置のためのボタン又はスイッチの押圧及び識別番号の入力などにより、手動で、通信が確立される。識別番号は、固定識別番号、ネットワーク識別番号などであり得る。ＩＥＥＥアドレスなどの固定識別番号は、製造中又は設置前に点灯装置に割り当てられ得る。固定識別番号は、一般的に、点灯装置内のメモリに記憶される。ネットワーク識別番号は、手動で且つ／又は自動的に点灯装置に割り当てられる。或る実施例においては、ネットワークの確立を担う点灯装置が、ランダムなネットワーク識別番号を選択し、選択したランダムなネットワーク識別番号をブロードキャストし、選択したランダムなネットワーク識別番号が未使用であることを示す、他の点灯装置が応答しない場合、選択したランダムなネットワーク識別番号を、この新しいネットワークのためのユニークな識別として割り当てる。その場合、他の点灯装置は、既にネットワーク内にある１つ以上の点灯装置とのハンドシェイクによりネットワークに加わることが出来る。ネットワークと関連する各点灯装置は、特定のネットワークとの前記各点灯装置の関連性を反映するネットワーク識別番号を割り当てられる。
【００２０】
第１点灯装置の位置をその点灯装置の識別番号から決定するステップ１０２は、第１識別番号を含む表示コマンドを送信し、表示コマンドに対する第１点灯装置の応答を検出するステップを含む。表示コマンド及び対応する応答は、任意の、人間又は機械が検出可能な応答であり得る。或る実施例においては、表示コマンドは、点灯設備などの点灯装置に、オン及びオフにするよう命令し、応答は、含まれている識別番号を持つ点灯装置がオン及びオフにするというものである。これは、設置者によって視覚的に観察され得る、且つ／又は光検出器などの光センサを持つ照明作動装置で検出され得る。別の実施例においては、表示コマンドは、点灯設備などの点灯装置に、増光及び減光するよう命令し、応答は、含まれている識別番号を持つ点灯装置が増光及び減光するというものである。これは、設置者によって視覚的に観察され得る、且つ／又は光検出器などの光センサを持つ照明作動装置で検出され得る。更に別の実施例においては、表示コマンドは、遠隔制御装置又はエリアセンサなどの点灯装置に、インジケータ発光ダイオード（ＬＥＤ）を発光させる、又は可聴、超音波若しくは無線周波数信号を発するなどの表示を供給するよう命令する。応答は、含まれている識別番号を持つ点灯装置が、設置者によって観察され得る、且つ／又は適切なセンサを持つ照明作動装置で検出され得る表示を供給するというものである。第１点灯装置の位置は、設置者によってマップ上に手動で入力され得る、且つ／又は照明作動装置によってマップ上に自動的に入力され得る。
【００２１】
第１点灯装置の位置をその点灯装置の識別番号から決定するステップ１０２の別の実施例は、第１点灯装置の方へ向けられる表示検出器を持つ携帯型照明作動装置で位置を決定するステップを含む。照明システム内の点灯装置の識別番号のリストが決定され、表示検出器が、第１点灯装置の方へ向けられる。識別番号のリスト上の各識別番号に対する表示コマンドが、携帯型照明作動装置又は別の通信ゲートウェイから照明システムへ順次送信される。表示検出器が、第１点灯装置の表示を検出する場合、第１点灯装置の位置が記録される。表示は、設置者によって検出可能であり得る、又は人間の知覚を超える表示を出す周波数のもの若しくは非常に高速なものであり得る。或る実施例においては、位置を決定するステップは、表示が検出された識別番号に対する追加的な表示コマンドを送信し、再度、第１点灯装置の表示を検出するなどによって、第１点灯装置の位置を確認するステップも含み得る。確認表示が受信されない場合、識別番号のリストのために位置決定が繰り返され得る。
【００２２】
第１点灯装置の位置をその点灯装置の識別番号から決定するステップ１０２の別の実施例は、所望の位置に分散している表示検出器を持つ携帯型照明作動装置で位置を決定するステップを含む。照明システム内の点灯装置の識別番号のリストが決定され、多数の照明作動装置が所望の位置に分散させられる。識別番号のリスト上の各識別番号に対する表示コマンドが、通信ゲートウェイから照明システムへ順次送信される。複数の照明作動装置のうちの少なくとも１つで第１点灯装置の表示が検出される。前記複数の照明作動装置のうちの前記少なくとも１つの位置から第１点灯装置の位置を決定するために、第１点灯装置の表示は、第１点灯装置に対する表示コマンド送信と相関させられる。
【００２３】
第１点灯装置において第１点灯装置のための装置制御パラメータを記憶するステップ１０４は、点灯装置に適した任意の装置制御パラメータを記憶するステップを含む。装置制御パラメータは、第１点灯装置内に、又は第１点灯装置と関連する外部記憶装置内に記憶され得る。装置制御パラメータの例は、バインディング情報、グループ識別番号、遠隔制御装置識別番号、減光レベル、減光率及びシーン情報などを含む。特定の点灯装置のための特定の装置制御パラメータは、点灯装置のタイプ及び照明システム内ので点灯装置の使用法に依存するであろうことは、当業者には分かるであろう。
【００２４】
第２点灯装置の識別番号から第２点灯装置の位置を決定するステップ１０６は、上記のような、第１点灯装置の位置をその点灯装置の識別番号から決定するステップ１０２において適用される技術のうちのいずれか１つを用いて行われ得る。
【００２５】
第１点灯装置から第２点灯装置へ装置制御パラメータを送信するステップ１０８は、点灯装置間で確立された通信で装置制御パラメータを送信するステップを含む。或る実施例においては、装置制御パラメータを送信するステップは、第１点灯装置においてクローニングプログラムを実行するステップを含む。クローニングプログラムは、装置制御パラメータを１つ以上の他の点灯装置に送信するよう、点灯装置に命令し、前記送信をなす方法を制御することが出来る。
【００２６】
第２点灯装置において装置制御パラメータを記憶するステップ１１０は、第１点灯装置から受信した装置制御パラメータを記憶するステップを含む。装置制御パラメータは、第２点灯装置内に、又は第２点灯装置と関連する外部記憶装置内に記憶され得る。或る実施例においては、前記方法は、１つ以上の付加的な点灯装置の位置を、それらの識別番号から特定し、第１又は第２点灯装置から付加的な点灯装置へ装置制御パラメータを送信し、付加的な点灯装置において装置制御パラメータを記憶することを継続することが出来る。或る実施例においては、装置制御パラメータは、点灯装置のうちの１つから送信され、１つずつ、点灯装置のうちの別の点灯装置において記憶される。別の実施例においては、装置制御パラメータは、点灯装置のうちの１つから送信され、同時に、多数の点灯装置において記憶される、即ち、送信及び記憶は、単一の点灯装置から、既知の位置及び識別番号を持つ点灯装置のグループに対するものである。
【００２７】
図４は、本発明に従って作成される照明作動装置のブロック図である。照明作動装置は、照明システムを作動させる場合に照明システムに対する通信ゲートウェイとして用いられ得る。照明システム内の点灯装置を作動させるための照明作動装置１４０は、点灯装置表示信号１４８を生成するセンサを備える、点灯装置からの表示に応答する表示検出器１４２と、点灯装置表示信号１４８に応答し、表示検出信号１５０を生成する変化検出器１４４と、表示検出信号１５０を受信し、照明システムに動作可能に接続される制御ユニット１４６とを含む。
【００２８】
動作中、照明システムは、作動される点灯装置に、光、赤外光、音、超音波、無線周波数信号などといった表示を供給するよう命令する。例えば、照明システムは、識別番号に対する表示コマンドを送信することにより、表示として、オン／オフにする又は増光／減光するよう、識別番号を持つ点灯設備に命令することが出来る。表示検出器１４２は、表示について、点灯装置を監視し、点灯装置表示信号１４８を生成する。変化検出器１４４は、点灯装置が表示を生成したことを示す変化について、点灯装置表示信号１４８を監視し、変化が検出される場合に、それに応じて表示検出信号１５０を生成する。制御ユニット１４６は、表示検出信号１５０を受信し、この情報を、識別信号に対応する点灯装置の位置を識別するのに用いることが出来る。制御ユニット１４６は、点灯装置のうちのどれが、応答し、表示を供給するかを決定するために、照明システム内の多数の点灯装置に表示コマンドを送信するよう照明システムに命令することも出来る。或る実施例においては、制御ユニット１４６と、照明作動装置１４０の他の構成要素とが、単一の筐体内に組み込まれる。別に実施例においては、制御ユニット１４６は、照明作動装置１４０の他の構成要素から物理的に分離しており、表示検出信号１５０は、制御ユニット１４６に無線送信される。更に別の実施例においては、制御ユニット１４６と、照明作動装置１４０の他の構成要素とが、別々の筐体内にあり、表示検出信号１５０は、制御ユニット１４６に有線で送信される。
【００２９】
或る実施例においては、照明作動装置１４０は、ラップトップコンピュータ、ハンドヘルドＰＤＡ(personal digital assistant)、ポケットパーソナルコンピュータ（ＰＣ）、携帯型専用照明作動装置などといった携帯機器である。携帯型専用照明作動装置の例は、ポインティング照明作動装置及び分散可能な照明作動装置を含む。別の実施例においては、照明作動装置１４０は、照明システム制御装置のような照明システムの一部である。照明作動装置１４０は、有線又は無線作動通信路で照明システムと通信する。
【００３０】
図５は、本発明に従って作成される照明作動装置の別の実施例のブロック図であり、図５において、図４と同様の素子は、図４と同様の参照符号を共用する。この例においては、照明作動装置１４０は、点灯装置に向けられ、前記点灯装置が前記点灯装置の識別番号向けの表示コマンドを受信する場合に前記点灯装置からの表示を検出する、ポインティング照明作動装置である。
【００３１】
照明作動装置１４０は、表示検出器１４２、変化検出器１４４及び制御ユニット１４６を含む。表示検出器１４２は、照明システム１６０内に含まれる点灯装置１６２を監視する。照明システム１６０は、一般的に、多数の点灯装置を含む。表示検出器１４２の視野角は、作動される点灯装置を観察するのに適した任意の視野角である。表示検出器１４２の視野角は、他の点灯装置までの作動中の点灯装置の近さ及び点灯装置からの距離に適した任意の角度であり得ることは、当業者には分かるであろう。或る実施例においては、表示検出器１４２は、表示検出器１４２が、単一の点灯装置に焦点を合わせるように、約２乃至４５度の範囲内、一般的には、５乃至１５度の範囲内の狭角検出器である。別の実施例においては、表示検出器１４２は、特定のアプリケーションにとって望ましい特定の視野角を供給するよう調節可能である表示検出器１４２の視野角を備える、可変角検出器である。視野角は、固定アパーチャ、虹彩絞りなどを備える交換可能なマスクで調節され得る。或る実施例においては、照明作動装置１４０は、照明作動装置１４０の位置を決定する位置検出器を含む。位置検出器は、位置を決定するのに内部信号及び／又は外部信号を利用する、ＧＰＳ、三角測量、飛行時間などといった任意の適切な方法を用いることが出来る。前記位置は、照明作動が行われているエリアのマップ上に照明作動装置１４０の位置を手動で又は自動的に記録するのに用いられ得る。
【００３２】
制御ユニット１４６は、照明システム１６０と通信する。制御ユニット１４６は、データ及び命令を記憶するメモリ１７２に動作可能に接続され、オペレータインタフェース１７４に動作可能に接続されるプロセッサ１７０を含む。プロセッサ１７０は、変化検出器１４４及び照明システム１６０と通信する通信リンク１７６にも動作可能に接続される。或る実施例においては、照明作動装置１４０は、コンピュータ内の利用可能なポート及び／又はスロットにプラグ接続する表示検出器１４２及び／又は通信リンク１７６を備える、ラップトップコンピュータ、ハンドヘルドＰＤＡ(personal digital assistant)、ポケットパーソナルコンピュータ（ＰＣ）などといった携帯機器である。オペレータインタフェース１７４は、ディスプレイ、ＬＣＤディスプレイ、光、キーボード、ボタンなどの、設置者との対話に適した任意のタイプのインタフェースであり得る。或る実施例においては、オペレータインタフェース１７４は、ビル、フロア又は他のエリアにおける点灯装置の位置を表示するマッピングインタフェースを含む。
【００３３】
照明作動装置１４０は、望ましいように、ポインティング照明作動装置に適した付加的な構成要素を含み得る。或る実施例においては、照明作動装置１４０は、点灯装置１６２から表示が受け取られる場合に表示するために、表示検出信号１５０に応答するオプションのツールインジケータ１７８を含む。ツールインジケータ１７８は、設置者に可視又は可聴信号を供給することが出来る。或る実施例においては、照明作動装置１４０は、表示検出器１４２を点灯装置１６２に向けるために、表示検出器１４２と位置合わせされた光学照準器(optional sight)１８０を含む。照準器１８０は、レーザポインタ、レーザ照準器、光学照準器、照星照準器(bead sight)、管照準器(tube sight)などといった、表示検出器１４２を点灯装置１６２の方へ向けることが可能な任意の照準器であり得る。
【００３４】
動作中、設置者は、第１識別番号を持つ第１点灯装置を含む、多数の点灯装置の間の通信を確立し、点灯装置の識別番号のリストを決定する。或る実施例においては、識別番号のリストが決定される場合に、識別番号のリストはフィルタをかけられ得る。
例えば、信号を送信し、点灯装置のうちのどれが応答するかを識別することによって、識別番号のリストが決定される場合、送信信号の強度を所定値に設定することによって、又は信号強度により応答をスクリーニングすることによって、識別番号のリストはフィルタをかけられ得る。別の例においては、識別番号の最初のリストは、点灯装置のタイプ、及び／又は特定のエリア内に取り付けられた点灯装置に対応する特定の範囲内の識別番号によってフィルタをかけられ得る。
【００３５】
設置者は、照明作動装置の表示検出器を第１点灯装置の方へ向けて、ＩＤ調査(Find ID)ボタンを押すなどによって、点灯装置表示を開始する。表示検出器が第１点灯装置に向けられている状態で、照明システムは、識別番号のリスト上の各識別番号に対する表示コマンドを順次送信する。表示検出器が第１点灯装置の表示を検出する場合、照明作動装置の制御ユニットは、第１点灯装置の位置を記録する。表示は、設置者によって識別可能であり得る、又は人間には知覚できないほど高速であり得る。或る実施例においては、照明作動装置は、第１点灯装置の表示を受け取ったことを設置者に知らせるために、ツールインジケータを発光させ得る又は電子音を発し得る。或る実施例においては、照明作動装置は、以前に第１点灯装置の表示をもたらしたのと同じ識別番号へ表示コマンドを送信するよう照明システムに命令することによって、第１点灯装置の位置を確認することが出来る。或る実施例においては、点灯装置の位置を備えるマップが、第１点灯装置の位置で自動的にアップデートされ得る。第１点灯装置においては、第１点灯装置の作動を完全なものにするために、第１点灯装置のための装置制御パラメータが記憶され得る。
【００３６】
図６は、本発明に従って作成される照明作動装置の更に別の実施例のブロック図であり、図６において、図４及び５と同様の素子は、図４及び５と同様の参照符号を共用する。この例においては、照明作動装置１４０は、点灯装置の位置を特定するために、ビル、フロア又は他のエリア全体にわたって分散させられ得る、分散可能な照明作動装置である。
【００３７】
照明作動装置１４０は、少なくとも１つの制御ユニット１４６及び多数の携帯型ユニット１８０を含む。携帯型ユニット１８０は、照明システム１６０内に含まれる多数の点灯装置１６２を監視する。携帯型ユニット１８０は、表示検出器１４２及び変化検出器１４４を含む。表示検出器１４２の視野角は、作動される点灯装置を観察するのに適した任意の視野角である。表示検出器１４２の視野角は、作動中の点灯装置の近さ及び点灯装置からの距離に適した任意の角度であり得ることは、当業者には分かるであろう。或る実施例においては、表示検出器１４２は、点灯装置１６２を基準とした携帯型ユニット１８０の配置がクリティカルではないように、約４５乃至１８０度の範囲内の視野角を備える、広角検出器である。例えば、各部屋の中の点灯装置を監視するために、ビルの各部屋の中に、１つの携帯型ユニットが配置され得る。別の実施例においては、表示検出器１４２は、特定のアプリケーションにとって望ましい特定の視野角を供給するよう調節可能な表示検出器１４２の視野角を備える、可変角検出器である。視野角は、固定アパーチャ、虹彩絞りなどを備える交換可能なマスクで調節され得る。各携帯型ユニット１８０は、照明作動装置識別番号を持つ。或る実施例においては、携帯型ユニット１８０は、携帯型ユニット１８０の位置を検出する位置検出器を含む。位置検出器は、位置を決定するのに内部信号及び／又は外部信号を利用する、ＧＰＳ、三角測量、飛行時間などといった任意の適切な方法を用いることが出来る。前記位置は、照明作動が行われているエリアのマップ上に携帯型ユニット１８０の位置を手動で又は自動的に記録するのに用いられ得る。
【００３８】
制御ユニット１４６は、携帯型ユニット１８０及び照明システム１６０と通信する。或る実施例においては、携帯型ユニット１８０は、照明システム１６０を介して制御ユニット１４６と通信する。或る実施例においては、制御ユニット１４６は、ビル内の照明システム１６０を制御するのに通常用いられる照明システム制御装置である。或る実施例においては、多数の制御ユニット１４６が用いられる。
【００３９】
動作中、設置者は、第１識別番号を持つ第１点灯装置を含む多数の点灯装置の間の通信を確立し、点灯装置の識別番号のリストを決定する。設置者は、照明作動装置の複数の携帯型ユニットを所望の位置に分散させ、照明作動装置識別番号の記録などの、携帯型ユニットの各々の位置の記録をする。設置者は、点灯装置が点灯設備であり、点灯装置からの表示が光レベルの変更である場合には夜といったように、所望の位置における状況が適切である時に、点灯装置表示を開始する。照明システムは、識別番号のリスト上の各識別番号に対する表示コマンドを順次送信し、照明作動装置のうちの少なくとも１つが、第１点灯装置の表示を検出する。複数の照明作動装置のうちの少なくとも１つの位置から第１点灯装置の位置を決定するために、第１点灯装置の表示は、第１点灯装置に対する表示コマンドの送信と相関させられ得る。或る実施例においては、制御ユニットに供給される表示検出信号が、第１点灯装置からの表示に応答する照明作動装置の携帯型ユニットの照明作動装置識別番号を含む。別の実施例においては、第１点灯装置の表示と、第１点灯装置に対する表示コマンドの送信との間の相関が、制御ユニットにおける各イベントの時間に基づき得る。第１点灯装置においては、第１点灯装置の作動を完全なものにするために、第１点灯装置のための装置制御パラメータが記憶され得る。
【００４０】
ここで開示されている本発明の実施例は、現在、好ましいと考えられるが、本発明の範囲を逸脱せずに、様々な変形及び修正がなされ得る。本発明の範囲は、添付した請求項において示されており、同等物の範囲及び意味内にある全ての変形は、本発明の範囲内に含まれるよう意図されている。
【図面の簡単な説明】
【００４１】
【図１】本発明による照明作動のための照明システムのブロック図である。
【図２】本発明による照明作動のための点灯装置のブロック図である。
【図３】本発明による照明作動のための方法のフローチャートである。
【図４】本発明に従って作成される照明作動装置のブロック図である。
【図５】本発明に従って作成される照明作動装置の別の実施例のブロック図である。
【図６】本発明に従って作成される照明作動装置の更に別の実施例のブロック図である。
【図１】
0005404042.tif 000002
【図２】
0005404042.tif 000003
【図３】
0005404042.tif 000004
【図４】
0005404042.tif 000005
【図５】
0005404042.tif 000006
【図６】
0005404042.tif 000007